(57)【特許請求の範囲】
【請求項１】
ダイヤフラム式ポンプにおいて、支持部と連動するように取り付けられた可動部材を有し、該可動部材は少なくとも一つの開口部を介して内容物が通過し得る中央ダクトを有し、該支持部は上記中央ダクトの周囲の容積が変動するポンプ室を画定するよう可動部材と協働するものであり、上記ポンプはその中に前記中央ダクトが差し入れられる中央部のあるダイヤフラムをも具備し、該ダイヤフラムはポンプ室の容積が増加して内容物がその中に吸入されるときにポンプ室を中央ダクトの開口部から分離するように設計されているタイプのポンプであって、中央ダクト(32)とダイヤフラム中央部(51)の少なくとも一つが、ポンプ室(34)の容積が増加する際に、ポンプ室(34)を中央ダクト(32)の開口部から分離するために、ダイヤフラムの中央部の外の箇所とダイヤフラムの中央ダクトとの間の漏出防止を維持するための、環状膨らみ部(58 ；58')が設けられたことを特徴とするポンプ。
【請求項２】
前記ダイヤフラムの中央部(51)が、停止時またはポンプ室(34)の容積が増加する際に、ポンプ室(34)を中央ダクト(32)の開口部から分離することで、中央ダクトにおいて漏出防止が維持するようにした、環状膨らみ部(58)を具備したことを特徴とする、請求項１に記載のポンプ。
【請求項３】
可動部材が高い位置にあるとき、中央ダクト(32)が一つかそれ以上の中空あるいは突出した凸状部分(60)を上記環状膨らみ部(58)から離れた位置に有しており、該可動部材を一杯まで押し下げると膨らみ部(58)に到達し、そのときに該凸状部分がポンプ室(34)と中央ダクト(32)の開口部(36)の間に連絡路を容易に形成できるようにしたことを特徴とする請求項２に記載のポンプ。
【請求項４】
１つまたはそれ以上のリブで形成された該凸状部分(60)が中央ダクト(32)の外表面上に形成される、ことを特徴とした、請求項３に記載のポンプ。
【請求項５】
ダイヤフラム中央部が、中央ダクト(32)の下端部とかみ合うようにされた内側スタッド(59)を構成する基部を具備することを特徴とした、請求項４に記載のポンプ。
【請求項６】
ダイヤフラムが、初めに上記のポンプ室(34)の容積が減少する際にポンプ室(34)を容器の内部から分離することに適合させるため、ついでポンプ室の容積が増加するとき内容物が該ポンプ室(34)の中に入るのを可能にすることに適合させるため、可撓性の唇部(53)を備えた、ことを特徴とする請求項１から５の何れか一項に記載のポンプ。
【請求項７】
上記可撓性唇部(53)は、環状谷部(54)を下方に向かって開くように形成させたダイヤフラム(50)の中央部(51)に接続され、内側スカート部(20)を含む該支持部は、ポンプ室(34)の容量が減少するように可動部材(5) が下方に移動する際に、ダイヤフラムが維持されるために、上記谷部(54)の端壁が接触する、スカート部の上端部支持面を備えていることを特徴とした、請求項６に記載のポンプ。
【請求項８】
可撓性の唇部と内側スカート部の何れか一方が、ポンプ室の容積が減少するときにポンプ室を容器の内部から分離するために他方の内側スカート部または可撓性の唇部に接触するのに適した環状膨らみ部(56;56')を具備することを特徴とした、請求項７に記載のポンプ。
【請求項９】
可撓性の唇部が、静止時とポンプ室の容積が減少するときに、ポンプ室を容器の内部から分離するために密封するように内側スカート部に接触するのに適合させた、該唇部の内表面に環状膨らみ部(56)を有することを特徴とした、請求項８に記載のポンプ。
【請求項１０】
可撓性の唇部(53)が上記の膨らみ部(56)と変形領域とを具備することを特徴とした、請求項９に記載のポンプ。
【請求項１１】
内側スカート部(20)が、ポンプ室の容積が減少するときにポンプ室を容器の内部から分離するために、可撓性の唇部(53)に漏出を防止するように接触するのに適している、内側スカート部の外表面上に設けられた環状膨らみ部(56') を具備することを特徴とした、請求項８に記載のポンプ。
【請求項１２】
内側スカート部(20)が、支持部を形成する残りの部品に取り付けられた部品の一部であることを特徴とした、請求項７から１１の何れか一項に記載のポンプ。
【請求項１３】
支持部は、可動部材の環状スカート部(33)に接触してリーク防止をする一対のシーリング唇部( ２４) を備え、上記環状スカート部(33)は中心ダクト(32)の略同心上で下方へ開いて伸び、上記環状スカート部(33)がポンプ室の半径方向の外壁を画定することを特徴とした、請求項１２に記載のポンプ。
【請求項１４】
可動部材の管状スカート部(33)が支持部の案内スカート部(16)内にスライドし、支持部の内側スカート部(20)と協働して容器の内部と少なくとも一つの吸気オリフィス(42)を介して連絡する上方向に開いた環状溝を画定し、可動部材が静止状態でポンプ室(34)の容積が最大であるときに可動部材の管状スカート部(33)が上記の案内スカート部(16)に漏出を防止するように接触することを特徴とした、請求項１３に記載のポンプ。
【請求項１５】
内側スカート部の上端に開口部(22)が設けられ、該開口部は可撓性唇部(53)の高さよりも低くされ、ポンプ室( ３４) の容積が増加しそして可撓性の唇部(53)が、ポンプ室に向かって流れる内容物によって押された力よって、可撓性の唇部(53)が内側スカート部(20)から離れて動くことで、開口部(22)は内容物がポンプ室に到達することを可能にすることを特徴とした、請求項７から１４の何れか一項に記載のポンプ。
【請求項１６】
可撓性の唇部(53)の高さを、ダイヤフラムがポンプに取り付けられる前において、ダイヤフラムの中央部(51)の高さより大きいか、あるいは等しくしたことを特徴とした、請求項７から１５の何れか一項に記載のポンプ。
【請求項１７】
可撓性の唇部(53)の厚みがダイヤフラム上端部方向に向かって増大していることを特徴とした、請求項７から１６の何れか一項に記載のポンプ。
【請求項１８】
可撓性の唇部(53)の内径が製造公差以内で内側スカート部(20)の外径と等しいことを特徴とした、請求項７から１７の何れか一項に記載のポンプ。
【請求項１９】
可撓性の唇部(53)と内側スカート部(20)との間の隙間がマイナスかあるいはゼロであることを特徴とした、請求項１８に記載のポンプ。
【請求項２０】
ダイヤフラム(50)の中央部(51)が上端部において環状部分(85)に接合されており、該環状部分の幅と厚みが上記の中央部(51)が伸張されるときのダイヤフラムの保持力が改善されるように決定されることを特徴とした、請求項１から１９の何れか一項に記載のポンプ。
【請求項２１】
ダイヤフラム(50)がポンプに取り付けられる前において、上記の環状部分(85)の厚みがダイヤフラムの中央部の厚みより大きいか、あるいは等しいことを特徴とした、請求項２０に記載のポンプ。
【請求項２２】
ダイヤフラム(50)がポンプに取り付けられる前において、その環状部分(85)の幅が厚みの少なくとも1.5 倍、好ましくは2 倍であることを特徴とした、請求項２０または２１に記載のポンプ。
【請求項２３】
可動部材(5) が静止状態であるとき、ポンプに取り付けられた後のダイヤフラム( ５０) の中央部の長さが、ポンプに取り付けられる前の元の長さ(L。) の１〜1.5倍以上であることを特徴とした、請求項１から２２の何れか一項に記載のポンプ。
【請求項２４】
可動部材が完全に押し下げられているとき、ダイヤフラムの中央部(51)の長さが、ポンプに取り付けられる前のダイヤフラムの元の長さ(L。) の１〜２倍以上であることを特徴とした、請求項1 から23のうちいずれか一項に記載のポンプ。
【請求項２５】
ダイヤフラムと中央ダクト(32)の少なくとも一つは、ポンプ室の容積が減少する際にポンプ室内に収容された内容物が上記中央ダクト(32)を通って流れるのを妨げることがないように、ダイヤフラムと中央ダクトとの間に環状領域が形成されるのを予防する形状に形成されていることを特徴とした、請求項１から２４の何れか一項に記載のポンプ。
【請求項２６】
少なくとも支持部と関連して可動部材が変位する間、ダイヤフラムと中央ダクトの少なくとも一方が、中央ダクトとダイヤフラムの何れかの他方とその表面の予め定められた箇所で接触するように形成されたことを特徴とした、請求項２５に記載のポンプ。
【請求項２７】
少なくともダイヤフラムと中央ダクトの少なくとも一方に突出した部分を有し、支持部に関連して可動部材が変位する間、中央ダクトと該ダイヤフラムの何れかの他方が上記突出した部分を支持するようにしたことを特徴とする請求項２６に記載のポンプ。
【請求項２８】
該突出した部分がダイヤフラム上に作られ、好ましくはダイヤフラムの中央部の軸(X) 周辺に均等に配置された膨らみ部(55)として形成し、上記膨らみ(55)はダイヤフラムの上表面を越えて延長されたことを特徴とする請求項２７に記載のポンプ。
【請求項２９】
可動部材の中央ダクト(32)の底端部に少なくとも一つの半径方向の開口部(36)が設けられていることを特徴とした、請求項１から２８の何れか一項に記載のポンプ。
【請求項３０】
可動部材がプッシュボタンを構成し、該プッシュボタンには取り出し端部（35）と総体的に形成されている中央ダクト(32)を有することを特徴とした、請求項１から２９の何れか一項に記載のポンプ。
【請求項３１】
ダイヤフラムがニトリル弾性体かあるいはシリコン弾性体で製造されることを特徴とした、請求項１から３０の何れか一項に記載のポンプ。
【請求項３２】
請求項１から３１の何れか一項に記載のポンプが取り付けられる容器。
【請求項３３】
変形領域が肉薄領域５７により構成されることを特徴とした、請求項１０に記載のポンプ。
【請求項３４】
ダイヤフラム(50)がポンプに取り付けられる前において、その環状部分(85)の幅が厚みの２倍であることを特徴とした、請求項２２に記載のポンプ。
【請求項３５】
可動部材(5) が静止状態であるとき、ポンプに取り付けられた後のダイヤフラム５０の中央部の長さが、ポンプに取り付けられる前の元の長さ(L0 ) の１〜２倍以上であることを特徴とした、請求項１から２２の何れか一項に記載のポンプ。
【請求項３６】
可動部材(5) が静止状態であるとき、ポンプに取り付けられた後のダイヤフラム５０の中央部の長さが、ポンプに取り付けられる前の元の長さ(L。) の１〜３倍以上であることを特徴とした、請求項１から２２の何れか一項に記載のポンプ。
【請求項３７】
可動部材が完全に押し下げられているとき、ダイヤフラムの中央部(51)の長さが、ポンプに取り付けられる前のダイヤフラムの元の長さ(L。) の１〜３倍以上であることを特徴とした、請求項1から23のうちいずれか一項に記載のポンプ。
【発明の詳細な説明】
【０００１】
【発明の属する技術分野】
本発明はポンプと、および、この種のポンプに適合するようにした液体（例えば化粧用クリーム）を入れる容器に関するものである。
【０００２】
【従来の技術】
フランス特許第２  ７２８  ８０９号は分配される内容物を収容している容器に固定された支え部材の上に取外し可能な形で被せられたプッシュボタンのあるポンプで、該プッシュボタンには下端部に放射状の開口部を持つ円形に円筒形の中央ダクトがあり、支え部材が上記のダクト周辺の容積が変動可能な環状ポンプ室の位置を確定するポンプを開示している。弾性体製のダイヤフラムは該支え部材に被せられる。該ダイヤフラムは円形で対称のスリーブ形の中央部分を有しており、それは上端部において開放されており、下端部において閉鎖されている。プッシュボタンの中央ダクトはスリーブの端壁と接触するまでダイヤフラムに差し込まれる。ダイヤフラムは、一定量の内容物が放出された後プッシュボタンが元の位置に戻るのを可能にする弾力のある復帰部材の構成要素となっている。
【０００３】
プッシュボタンの復帰動作中、ダイヤフラムは中央ダクトと接触することで、ポンプ室を中央ダクトの放射状の開口部からアイソレートさせ、空気がポンプ室の中に戻るのを防いでいる。
このようなポンプにはごくわずかな数の部品から成り、製造費用が比較的安価であるという利点がある。
しかし、その既存のポンプは完全に満足の行くものではなく、出願人である会社はとりわけプライミング（呼び水などのポンプ起動に必要なことがらに関することを示す）の問題に注視している。
【０００４】
本発明は、上記に示されたようなタイプつまり、支持部と関連して動くように取り付けられた可動部材を有し、該可動部材は少なくとも一つの開口部を介して内容物がその中を通り分配される中央ダクトを有し、該支持部が上記の中央ダクトの周囲の容積が変動可能なポンプ室を画定するため可動部材と共働し、該ポンプが上記の中央ダクトを差し込む中央部分を有するダイヤフラムを備えており、該ダイヤフラムがポンプ室の容積が増加し内容物がその中に吸い込まれる際に該ポンプ室を該中央ダクトの開口部からアイソレートさせるように設計されているようなポンプの作動の信頼性を改善するのを目的としている。
【０００５】
本発明は、該ポンプ室の容積が増加する際、該中央ダクトと該ダイヤフラム中央部の少なくとも一つが、他である該ダイヤフラムの中央部と中央ダクトの何れかに漏出防止を維持するように接触することによって該ポンプ室を中央ダクトの該開口部から分離するのに適した環状膨らみ部を具備することでその目的を達成している。
【０００６】
言い換えれば、上記の膨らみ部が、ポンプ室と中央ダクトの開口部の間にある中央ダクトの周囲に形成された環状の連絡路が吸引段階の間確実に閉鎖されるようにしている。
【０００７】
上記の閉鎖を確実にするよう中央ダクトと接触している上記のダイヤフラム表面は、膨らみ部の存在があることで、僅かに引っ張られ、そうすることで、ポンプ室中の低い（弱い）空気圧がダイヤフラムと中央ダクトとの間のシールを壊すことを十分に可能とする。
【０００８】
これによってポンプのプライミングが容易になる。
加えて、ダイヤフラムを製造するのに固めの弾性体を使用し、ダイヤフラムに過度に圧力を加える必要なく、比較的高い復帰力を可能にするのは、ダイヤフラムに過度に圧力を与えると長期的に見てダイヤフラムを破裂させる危険があるという欠点があるので、一般的に望ましいことである。
【０００９】
しかし、固めの弾性体を用いると、ダイヤフラムの変形が容易でないためプライミングがより困難になる傾向がある。
本発明はポンプの作動中にダイヤフラムを構成する部材の弾力率の影響をある程度減少させることと、望ましいバネ効果を維持しながらもダイヤフラムの圧縮応力を減少させられるよう、固めの弾性体が使用されるのを可能にしている。
【００１０】
プラスチック成形によって製造を用意にするために、該膨らみ部は好ましくは該ダイヤフラム中央部の内表面上に形成される。
従って、該ダイヤフラム中央部上に形成された該膨らみ部は該中央ダクトを密封するように圧迫し、それにより少なくともポンプ室の容積が増加しているときにはポンプ室を中央ダクトの開口部から分離させるようにしている。
都合のよいことに、該膨らみ部は静止状態でも該中央ダクトを密封するように接触している。
【００１１】
別の形式では、該膨らみ部は中央ダクトの外表面上に形成されている。
可動部材が高位置において膨らみ部から離れ、および可動部材のストロークの終端で膨らみ部に到着するように、ダイヤフラムの内側面に膨らみ部を形成するようにすれば、レリーフの一部に、一瞬の時間で、ポンプ室と開口部との間の通過を容易にすることができる。
【００１２】
突出した部分は、例えば該中央ダクトの外表面上に形成される一つかそれ以上のリブの形をとっている。
特定の実施例においてダイヤフラムの中央部分は中央ダクトの下端部においてかみ合うように設計された内部スタッドを備えるベース部を有している。
【００１３】
そのようなスタッドはダイヤフラム中央部分の下端部を中央ダクトの下端部に比較的安定した状態で保持するのを可能にしている。
【００１４】
特定の実施例においては、該ダイヤフラムには第一に上記のポンプ室の容積が減少する際、該ポンプ室を内容物の供給源から分離し、第二に該ポンプ室の容積が増す際、内容物が上記のポンプ室の中に入るのを可能にするのに適した可撓性唇部を有している。
【００１５】
特定の実施例においては、上記の可撓性唇部は該ダイヤフラム中央部分に下向きの開放環状谷部を形成して接合され、該支持部には、可動部材がポンプ室の容積を減少するよう下向きに可動する際に該ダイヤフラムが保持されるよう、上端部において上記の溝の端壁と接触している内側スカート部がある。
【００１６】
好ましくは上記の内側スカート部は上端部に開口部（複数）を持っており、それら開口部は可撓性唇部より高さが低く、上記の開口部はポンプ室の容積が増大し、可撓性唇部が内側スカート部から離れる際に内容物がポンプ室に到達するのを可能にしている。
【００１７】
特定の実施例においては、該ダイヤフラム中央部がその上端部において、上記の中央部が伸張される際ダイヤフラムの保持を改善するように幅や厚みが選定されている環状部分に接合されている。
【００１８】
ダイヤフラムがポンプ内に取り付けられる前、上記の環状部分の厚みは、ダイヤフラムの中央部分の厚みより大きいか、あるいは等しいのが好ましい。
【００１９】
ダイヤフラムがポンプ内に取り付けられる前、上記の環状部分の幅は厚みの少なくとも１．５倍、更に好ましくは２倍であるのが好ましい。
【００２０】
伸張性の縁と内側スカート部の一つが一つの環状谷部を有し、該環状谷部がポンプ室の容積が減少する際ポンプ室を容器の内側から分離するよう、他の内側スカート部と可撓性唇部と接触するのに適しているのが好ましい。
【００２１】
特定の実施例においては、該可撓性唇部は内表面に環状膨らみ部を持っており、該環状膨らみ部は少なくともポンプ室の容積が減少する際にポンプ室を内容物の供給源から分離するように内側スカート部を密封する仕方で接触するのに適している。
【００２２】
静止状態の場合、該環状膨らみ部は内側スカート部を密封する仕方で都合よく接触している。
【００２３】
該可撓性唇部は上記の環状膨らみ部と、好ましくは細い帯状部分で構成された望ましい応力変形帯状部分を効果的に備えている。
【００２４】
別の形式では内側スカート部は外表面に環状膨らみ部を備えており、それはポンプ室の容積が減少する際にポンプ室を内容物の供給源から分離するよう、可撓性唇部を漏出防止を維持するように接触するのに適している。
特定の実施例においては、ダイヤフラムがポンプ内に取り付けられる前、上記の可撓性唇部の高さはダイヤフラム中央部の高さより大きいか、あるいは等しい。
【００２５】
特定の実施例においては、可撓性唇部の外表面は該上端部付近において、円錐形でダイヤフラムの上端部に向かって分岐していて、肩部を経由して環状リブに接合された部分を呈している。
可撓性唇部の内径は製造公差以内で内側スカート部の外径と等しいのが好ましい。
【００２６】
また、可撓性唇部と内側スカート部の間の公差はマイナスまたはゼロで、それが可撓性唇部が内側スカート部に軽く留められるのを確実にしているのが好ましい。
【００２７】
特定の実施例においては、可動部材が停止時、ポンプ内で組み立てられた後のダイヤフラム中央部の長さが、ポンプ内に取り付けられる前の元の長さの１．５倍以上である、または、上記の元の長さの２倍以上である、または、上記の元の長さの３倍以上でさえある。
【００２８】
特定の実施例においては、可動部材が完全に押し下げられている際、ダイヤフラム中央部の長さはポンプ内での組み立て前のダイヤフラムの元の長さの２倍以上である、または上記の元の長さの３倍以上である、または上記の元の長さの４倍以上でさえある。
【００２９】
特定の実施例においては、ポンプ室の容積が減少する際にポンプ室に収められた内容物が上記の中央ダクトを介して流れるのを妨げる環状の帯状部分がダイヤフラムと中央ダクトの間に形成されないように、ダイヤフラムと中央ダクトの少なくとも一つが形成されている。
【００３０】
ダイヤフラムと中央ダクトの少なくとも一方が、少なくとも支持部と連動する可動部材の変位中、中央ダクトとダイヤフラムの何れか他方とその外周の予め定められた位置で接触するように形成されるのが好ましい。
【００３１】
好ましくは、少なくとも支持部と連動する可動部材の変位中、ダイヤフラムと中央ダクトの少なくとも一方に突出した部分を有し、それと中央ダクトとダイヤフラムの何れかの他方とが接触する。
【００３２】
このことによってポンプ室の容積が変動する際に可動部材の動きが取れなくなる危険なく、ポンプが確実に作動することが保証される。
【００３３】
ポンプ室の容積を縮小させる際に、該ポンプ室からの内容液が、中央ダクトの開口部へ向かう内容物の流れをダイヤフラムがブロックし、そのブロックをすることを上述の突出した部分は妨げる傾向をもっている。
【００３４】
これら突出した部分は、さらに、ダイヤフラムの軸中心上に、可動部材の中央ダクトを保とうとする傾向をもたらし、それによって、ポンプの満足な作動を有利にする。
【００３５】
好ましい実施例においては、上記の突出した部分はダイヤフラム上に設けられており、ダイヤフラム中央部の軸の開口部周囲に均等に配置された膨らみ部からなっていて、上記の膨らみ部がダイヤフラムの上面上に伸張しているのが好ましい。
【００３６】
特定の実施例においては、該支持部は可動部材の管状スカート部を漏出防止が維持できるように押圧接触する一対の密封唇部を備えており、該環状スカート部は下方向に向かって開いており、中央ダクトの周囲に同心的に伸びており、上記の環状スカート部はポンプ室の外壁を放射状にするようポンプを画定している。
【００３７】
特定の実施例においては、該内側スカート部は支持部の余り部分に取り付けられた構成要素の一部である。
【００３８】
好ましい実施例においては、該可動部材の中央ダクトはその下端部に少なくとも一つの放射状の開口部を備えている。
【００３９】
好ましい実施例においては、該可動部材は、中央ダクトが取り出し末端部と共に一体的に形成されたプッシュボタンとして構成されている。
【００４０】
特定の実施例においては、該可動部材の管状スカート部が支持部の案内スカート部内にスライドし、少なくとも一つの吸気オリフィスを介して内容物の供給源と連絡する上方向に向かって開いた環状谷部を画定するため該支持部の内側スカート部と協働し、可動部材が静止状態でポンプ室の容積が最大である状態において、可動部材の管状スカート部が上記の案内スカート部に対して漏出防止が維持できるように押圧接触する。
【００４１】
ダイヤフラムは例えばニトリル弾性体かシリコン弾性体で製造することが出来、例えば、自然に利用されてきた他の物質も利用可能である。
【００４２】
本発明は上記に定義されたようなポンプに取り付ける容器をも提供している。
【００４３】
【発明の実施の形態】
本発明の特徴と利点は、続く本発明を制限はしない実施例と様々な実施化されたものの詳細を添付図面に基づき説明する。
【００４４】
図面上では上端部分だけが部分的に表されているボディー部２で形成されたタンクと、支持部４がその上にスナップ止めで画定されるネック部３とから、形成された容器１を図１は示している。
【００４５】
該支持部４はプッシュボタン５が軸Ｘに沿ってスライドするよう案内するとと共に、それは使用開始前にプッシュボタン５を覆う取外し可能な保護キャップ６を取り付けるのに役立っている。
【００４６】
該支持部４は該ネック部３の内表面を漏出防止が維持できるように押圧接触する密封スカート部７を有している。
【００４７】
該密封スカート部７は、初めにネック部３の環状リム９に対してスナップ固定された固定タブ８によって外方向に、次ぎに図中に部分的に示された下垂チューブ１３を接続するための末端部１２を画定している１０の形で内方向に、放射方向に伸張させられている。
【００４８】
外部スカート部１５と案内スカート部１６は密封スカート部１７、固定タブ８、そして階段状壁１０と共にプラスチック材料の成形により一体的に形成されている。
【００４９】
該外部スカート部１５は、容器のネック部３の周囲に伸張し、その上に保護キャップ６が支えられる肩部１７を提供している。
【００５０】
該外部スカート部１５の上端部１８は下記に説明されるように、静止状態（押し込みをせずに手を離している状態）のプッシュボタン５を抑えている。
【００５１】
該支持部４は、力によって階段状壁１０とかみ合う肩部を有する底端部２１のある、分離部分を構成する内側スカート部２０を備えている。
【００５２】
該内側スカート部２０は、図２、図３でより詳しく見られるように、開口部２２を備えた実質的に先細りする上端部を持っている。
【００５３】
説明されている例においては、これらの開口部２２は軸Ｘと平行に走る溝の形で、ステップ２６まで内側スカート部２０の放射状の内表面を占めるグルーブ２５により下方向に伸張される。
【００５４】
一対の環状密封唇部２４は、プラスチック材料を成形して内側スカート部２０と共に上記のスカート部の外表面上に一体的に形成される。
【００５５】
プッシュボタン５は外側スカート部３０を有し、そのスカート部３０の下方端には歯部３１を備えており、図１で示されるように、プッシュボタン５がその高い位置で静止状態である場合において、その歯部３１は支持部４の外側スカート部１５の上方縁部１８に対して挟み込むようにされた歯である。
【００５６】
該プッシュボタン５は軸Ｘ上に中央ダクト３２と、中央ダクト３２の周りに環状ポンプ室３４を画定する同心の環状スカート部３３を備えている。
【００５７】
該外部スカート部３０と管状スカート部３３と中央ダクト３２は、中央ダクト３２と内部連絡する取り出し末端部３５と共にプラスチック材成形で一体的に作られる。
【００５８】
該中央ダクト３２はその底端部に放射状開口部３６を備えている。
該管状スカート部３３の底端部は、図４でさらに詳しく見られるように、外方向に向かって小規模に放射状に伸張する密封唇部３７を形成している。
【００５９】
該支持部４の案内スカート部１６の底部分にはその内表面で放射方向に浅い環状の後退部分４１が設けられている。
【００６０】
該プッシュボタン５が高い位置にある際、密封唇部３７は、図１に示されるように、密封が維持されるように、案内スカート部１６の上端部分の円形円筒の表面４０に対して押圧される。
【００６１】
このようにして容器の内側は周囲の空気から隔絶され、それは放出される内容物の品質保持に好ましい。
【００６２】
プッシュボタン５が押し下げられると、密封唇部３７は環状後退部分４１の原因によって案内スカート部１６を漏出防止が維持できるように接触する状態が取りやめられ、そのことで、内側スカート部２０と案内スカート部１６の間に形成される谷部分が、外部に対する連通が可能となる。
【００６３】
容器が空になるに従って、この谷部分の底に空気浸透を許すようになって、空気吸気用のオリフィス４２が形成される。
【００６４】
内側スカート部２０は、軸Ｘ方向の上方端部が開いていて端壁５２により底端部が閉じられた袖型の中央部分５１を有するダイヤフラム５０に対して台としての役割を果たす。
【００６５】
この中央部分５１は図５でより詳しく見られるように、可撓性唇部５３まで外方向に向かって放射状に伸張する。
【００６６】
該中央部分５１と接合することにより、この可撓性唇部５３は環状谷部５４を形成し、内側スカート部２０の上方端部は上記の溝の端壁にその自由端が接触するまでその中に差し込まれる。
【００６７】
該可撓性唇部５３は内側スカート部２０の上で軽く締まるように形成されている。
該可撓性唇部５３の高さは開口部２２の高さより高く、可撓性唇部５３は、図１に示されるように、静止時において開口部２２を越えて、漏出防止が維持できるように内側スカート部２０の外表面と接触するように適合させている。
【００６８】
さらに詳しくは、説明される図５に示されるような実施例においては、可撓性唇部５３にはその底端部と放射状の内表面に半円形断面の環状膨らみ部５６を設けることにより、その内側スカート部２０と接触する頂部において、静止時において耐えることに適合した、接触ラインができる。
【００６９】
容器中の内容液をポンプ室に入れる際に、該可撓性唇部５３が外方に変形させて、内側スカート部２０から容易に離れられ得るために、該可撓性唇部５３の底部が外側に変形可能にするために、該膨らみ部５６の上方に可撓性の唇部は、薄い領域を設けている。
【００７０】
該可撓性唇部５３の外表面は、その底端部から順に、軸Ｘの周囲に実質的に環状で円筒形の底部８１を備え、次に上方向に向かって広がる円錐形の上方部分８２を備え、上記の上方部分８２は肩部８３を介して環状リブ８４に接合されている。
【００７１】
該ダイヤフラム５０は該中央部５１の開口部に、軸Ｘの周囲に環状に対称でない突出した部分つまり、この特定の例においては膨らみ部５５をもっており、この膨らみ部５５の機能については下記により説明される。
【００７２】
説明されている実施例において、これらの膨らみ部５５は３つあり、それらは図６に見られるように、軸Ｘの周囲に均一な角度で配置されている。
【００７３】
これらの膨らみ部５５それぞれは中央部５１の放射状の内表面から突出しており、谷部５４の上に実質的に横たわるようにダイヤフラム５０の上表面において放射状に外向きに伸張している。
【００７４】
該膨らみ部５５のそれぞれは水平横断面の断面で見ると、図６に見られるように、軸Ｘに向かって凸状の断面を呈している。
【００７５】
ダイヤフラムの中央部５１の内表面には端壁５２に向かってわずかに円錐形で上方部分７０を備えている。
【００７６】
この円錐部分７０の上に該膨らみ部５５が延びている。
可撓性唇部５３を中央部５１に連結する環状部分８５は比較的幅広で厚く、そのため中央部５１が伸張する際、中央部５１の上端部が内側スカート部２０に関連して確実に静止状態が保たれるようにしている。
【００７７】
説明されている実施例において、該環状部分８５は膨らみ部５５の外側にあって幅が厚みの約２倍である。
【００７８】
ダイヤフラムの中央部５１はその内表面上に半円形断面の環状膨らみ部５８を具備している。
【００７９】
膨らみ部５８は、プッシュボタンが上がる時に発生されたラインを経由して開口部３６の上方で中央ダクト３２の外表面と押圧接触し、それによってポンプ室３４と中央ダクト３２の間の連絡路が閉じられるように設計されている。
【００８０】
説明されている実施例において、膨らみ部５８は半径０．２５ミリで、図中でｅで示されたダイヤフラム中央部５１を構成する壁は０．５５ミリ厚さである。
【００８１】
ダイヤフラム中央部５１の底部５２はその上面にスタッド５９を備えており、それは中央ダクト３２底端部とかみ合うように設計されている。
【００８２】
中央ダクト３２は図５では破線で表されている。
スタッド５９の外径は中央ダクト３２の内径と一致する。
スタッド５９は、ダイヤフラムの底部５２が中央ダクト３２に関連して静止状態に保たれるようにしている。
プッシュボタン５が静止状態において、図１に示されているように、ダイヤフラム中央部５１の長さは中央部５１の元の長さｌ。の約３倍、つまり２００％の伸張度になる。
【００８３】
例として、ダイヤフラム５０が組み立てられていない場合、谷部５４の端壁と端壁５３の上面の間で計った長さｌ。は３ミリであり、ダイヤフラムがポンプ内の場所にありプッシュボタンが静止している際、図１に示されているように、中央部５１の長さは約９ミリである。
【００８４】
説明されている実施例において、プッシュボタン５を一杯まで押し下げた際、中央部５１は３５０％の伸張度になる。
【００８５】
考慮中の例において、中央部５１の長さはそのとき約１３．５ミリで、プッシュボタン５を押し下げたときは４．５ミリになる。
【００８６】
組み立て中に、プッシュボタン５の中央ダクト３２はダイヤフラム５０の中央部５１に、図１に示されるように、スタッド５９周囲のダイヤフラム５０の端壁５２にその底端部において接触するまで、差し込まれる。
【００８７】
それから膨らみ部５５が中央ダクト３２の環状の円筒形の表面と接触する。
しかし一般的に、膨らみ部５５はプッシュボタンが静止状態の場合、中央ダクト３２と接触している必要はない。
プッシュボタン５が静止状態において、ダイヤフラム５０の中央部５１は張力下にあり、それによって歯部３１を外部スカート部１５の上端部１８に対して隣接するよう保たれる。
【００８８】
一対の密封唇部２４は、プッシュボタン５の上下の動きに関わらず、環状スカート部３３の放射状の内表面に漏出防止が維持できるように押圧接触している。
【００８９】
膨らみ部５８はその頂上を介して中央ダクト３２と接触しており、それによってポンプ室３４と放射状開口部３６の間の連絡路を塞いでいる。
【００９０】
静止状態において、可撓性唇部５３の環状膨らみ部５６は内側スカート部２０と接触するようになり、それによってポンプ室３４と容器の内部との間の連絡路を塞いでいる。
【００９１】
図７、図８に見られるように、中央ダクト３２は軸Ｘに平行なリブ６０を都合よく持っており、上記のリブの底端部は、プッシュボタンが高い位置にある際にプッシュボタンの押し下げに対応する距離に応じて、環状膨らみ部５８から離れるように動く。
【００９２】
リブ６０は任意のものであるが、上記に説明されたようにポンプのプライミングを容易にする。
【００９３】
プッシュボタンがその低い位置に届く前、リブ６０の底端部６１は図１１に見られるように環状膨らみ部５８の上方に位置する。
【００９４】
ポンプがプライミングしていないとき、ポンプ室３４の中には取り除かれるべき空気が入っている。
【００９５】
プッシュボタンが一杯に押し下げられる際リブは環状膨らみ部５８と接触し、それにより第１２図に示されたように環状膨らみ部５８は中央ダクト３２から確実に十分離れるようにする。
【００９６】
ポンプ室３４と放射状開口部３６との間の連絡形成を妨げる、ポンプ室内における圧縮空気の危険を、防ぐことができる。
【００９７】
支持部４、プッシュボタン５、そしてダイヤフラム５０は下記のように作動するポンプを構成している。
【００９８】
使用者がプッシュボタン５を押し下げると、図９に示されるように中央ダクト３２はダイヤフラム５０の端壁５２を下方向に動かし、それに伴ってダイヤフラムは中央ダクト３２の下向き方向の動きに随行するよう弾性的に変形して伸張する。
【００９９】
ポンプがプライミングすることはつまりポンプ室３４が内容物で一杯であると想定できる。
【０１００】
プッシュボタン５の下方向変位の間に、ポンプ室３４に収容された内容物は中央ダクト３２とダイヤフラム中央部５１の間に排出され、それは中央ダクト３２の放射状の開口部３６に、つづいて取り出し末端部３５に到達する。
【０１０１】
可撓性唇部５３の膨らみ部である内表面５６はプッシュボタン５の下向き方向変位の間、環状突出部２０と漏出防止が維持される仕方で接触する。
【０１０２】
プッシュボタン５がある程度の距離押し下げられて環状セットバック４１に達すると、プッシュボタン５の環状スカート部３３の密封唇部３７は案内スカート部１６に漏出防止を維持する仕方で接触するのをやめ、それにより吸気オリフィス４２と案内スカート部１６と環状スカート部３３の間にある隙間を介して容器の内側と外側の連絡を可能にする。
【０１０３】
それらの間で、膨らみ５５は内容物のための通路を残し、また中央ダクト３２とダイヤフラム５０の中央部５１の間に内容物の圧力で乗り越えられない可能性のある漏出防止を維持する環状防壁領域が形成されるのを防ぐので、環状膨らみ部５８が内容物の圧力の影響で中央ダクト３２から多少離れていくと、内容物が放射状の開口部３６に到達出来るのを確実にしている。
【０１０４】
放射状開口部３６の上方にある、ダイヤフラム５０と中央ダクト３２の間の連絡面は環状膨らみ部５８がある分だけ、比較的限られ、それにより放射状開口部３６に向かう通路が容易に形成されるようにしている。
【０１０５】
膨らみ５５は中央ダクト３２を内側スカート部２０と同軸上に保ち、ダイヤフラムが内側スカート部２０の上に確実に引っかかるようにするのに役立つ。
【０１０６】
使用者がプッシュボタン５を放すと、プッシュボタンは元の形に戻る傾向のあるダイヤフラムの中央部５１により上方向に動くよう促される。
【０１０７】
プッシュボタン５の復帰動作中環状膨らみ部５８は放射状開口部３６とポンプ室３４の間の連絡路を塞ぎ、上記のポンプ室で引き起こされる吸気が内側スカート部２０の可撓性唇部５３を離れさせ、容器からの内容物を吸入する。
【０１０８】
環状膨らみ部５６は肉薄領域５７によって容易に変位するようになる。
【０１０９】
内容物は図１０に見られるように、内側スカート部２０のグルーブ２５を介し、ダイヤフラム５０の中央部５１に沿って流れ、途中開口部２２を経由して内側スカート部２０を抜け、その後可撓性唇部５３の周りを抜け、その外側を上昇しポンプ室３４に到達する。
【０１１０】
プッシュボタン５が上がっていく際空気は案内スカート部１６と環状スカート部３３の間にある隙間と吸気オリフィス４２を通り、容器の中を通ることが出来、それは上記に説明されたようにプッシュボタン５が高い位置に到達し、密封唇部３７が漏出防止を維持する仕方で再び案内スカート部１６に接触するまで続く。
【０１１１】
本発明は当然のことであるが、上記に説明された実施例に限定されるものではない。
【０１１２】
とりわけ、膨らみ部５５は中央ダクト上に形成される凸状部材に置き換えることができる。
【０１１３】
リブ６０は膨らみ５５と同じ機能を果たす大きさで、そのようにして上記の膨らみ部が取り除かれても良い。
【０１１４】
環状膨らみ部５８は取り除かれ、図１３に示されているように、異なる形態のものとして放射状開口部３６上方の中央ダクト３２の外表面上に形成された環状膨らみ部５８’に置き換えることができる。
【０１１５】
同様に、環状膨らみ部５６を図１４に示されているように、取り除き、図１５に示されるように開口部２２の真下の内側スカート部２０上に形成された環状膨らみ部５６’に置き換えても良い。
【図面の簡単な説明】
【図１】は本発明によるポンプに取り付けられた容器の先端部の線図である。
【図２】は支持部の内側スカート部を各々単独にに表す。
【図３】は支持部の内側スカート部を各々単独にに表す。
【図４】は可動部材の管状スカート部の底端部の断片を単独に表す。
【図５】はポンプ内に取り付けられる前のポンプ１に取り付けられるためのダイヤフラムの軸方向断面を単独に表す線図である。
【図６】は図５のＶＩ  −  ＶＩ線における断面図である。
【図７】は中央ダクトの部分的な線図である。
【図８】は図７のＶＩＩＩ  −  ＶＩＩＩ線における横断面である。
【図９】はプッシュボタンが押し下げられる際の、ポンプの作動の仕組みを示す。
【図１０】はプッシュボタンが開放される際の、ポンプの作動の仕組みを示す。
【図１１】はダイヤフラムの膨らみ部上にある中央ダクトの突出した部分の動きを示す。
【図１２】はダイヤフラムの膨らみ部上にある中央ダクトの突出した部分の動きを示す。
【図１３】は、ダイヤフラムの別の実施例を示す図５と同様の図である。
【図１４】は、可撓性唇部の別の実施例における断片図である。
【図１５】は、支持部の内側スカート部の別の実施例を示す、図２と同様の図である。
【符号の説明】
１  容器
２  ボディー部
３  ネック部
４  支持部
５  プッシュボタン
６  保護キャップ
７  密封スカート部
８  固定タブ
９  環状リム
１０  階段状壁
３２  中央ダクト
３４  ポンプ室
５１  中央部
５８  環状膨らみ部
５９  スタッド
５８’  環状膨らみ部
６０  凸状部分
【図１】
0003613329.tif 000002
【図２】
0003613329.tif 000003
【図３】
0003613329.tif 000004
【図４】
0003613329.tif 000005
【図５】
0003613329.tif 000006
【図６】
0003613329.tif 000007
【図７】
0003613329.tif 000008
【図８】
0003613329.tif 000009
【図９】
0003613329.tif 000010
【図１０】
0003613329.tif 000011
【図１１】
0003613329.tif 000012
【図１２】
0003613329.tif 000013
【図１３】
0003613329.tif 000014
【図１４】
0003613329.tif 000015
【図１５】
0003613329.tif 000016